(57)【要約】【課題】人若しくは動物又はものの形状を電子データ化して模擬する三次元形状模擬システムを提供すること。【解決手段】人若しくは動物又はものの形状を電子データ化して模擬する三次元形状模擬システムであって、前記人若しくは動物又はものの形状に関する情報を記憶する記憶手段と、前記人若しくは動物又はものに関する入力情報を入力する動作と、模擬した状態に関する出力情報を出力する動作とを制御する制御手段と、前記入力情報に基づいて、骨格モデルのサイズを設定するサイズ設定手段と、設定された前記骨格モデルに基づいて、モデル画像を生成するモデル画像生成手段とを有することを特徴とする。【選択図】図１
2016024742.tif 000002
【特許請求の範囲】
【請求項１】
人若しくは動物又はものの形状を電子データ化して模擬する三次元形状模擬システムであって、
前記人若しくは動物又はものの形状に関する情報を記憶する記憶手段と、
前記人若しくは動物又はものに関する入力情報を入力する動作と、模擬した状態に関する出力情報を出力する動作とを制御する制御手段と、
前記入力情報に基づいて、骨格モデルのサイズを設定するサイズ設定手段と、
設定された前記骨格モデルに基づいて、モデル画像を生成するモデル画像生成手段と
を有することを特徴とする三次元形状模擬システム。
【請求項２】
前記骨格モデルは、前記人若しくは動物又はものの形状に対応する複数の支持片を複数の支点で連結した連結モデルであり、
前記サイズ設定手段は、入力された前記入力情報に基づいて、前記複数の支持片の１つ又は２つ以上の長さを変更して、前記骨格モデルの形状を設定する、
ことを特徴とする、請求項１に記載の三次元形状模擬システム。
【請求項３】
前記連結モデルは、前記人若しくは動物又はものの部位に対応する複数の部位モデルで構成され、
前記骨格モデルは、前記複数の部位モデルを結合して構成される、
ことを特徴とする、請求項２に記載の三次元形状模擬システム。
【請求項４】
前記骨格モデルは、女性、男性、子供、シニア、犬及び猫にそれぞれ対応する複数のカテゴリーに分類された複数の骨格モデルを含み、
前記入力情報に基づいて、前記複数のカテゴリーから所望のカテゴリーに対応する所望の骨格モデルを選択するカテゴリー選択手段を更に有し、
前記サイズ設定手段は、前記カテゴリー選択手段が選択した前記所望の骨格モデルの形状を設定し、
前記モデル画像生成手段は、設定された前記所望の骨格モデルに基づいて、所望の前記モデル画像を生成する、
ことを特徴とする、請求項３に記載の三次元形状模擬システム。
【請求項５】
請求項１乃至請求項４のいずれか一項に記載の三次元形状模擬システムを用いて、試着した状態を模擬する試着シミュレーションシステムであって、
前記記憶手段は、試着するアイテムに関する情報を更に記憶し、
前記アイテムに関する情報を用いて、生成された前記モデル画像に基づいて、試着した状態を模擬した試着画像を生成する試着画像生成手段を更に有し、
前記制御手段は、入力された前記アイテムに関する情報に基づいて、前記記憶手段が記憶しているアイテム画像を選択し、
前記試着画像生成手段は、前記モデル画像生成手段が生成した前記モデル画像に、前記制御手段が選択した前記アイテム画像を重畳して、前記試着画像を生成する、
ことを特徴とする試着シミュレーションシステム。
【請求項６】
前記モデル画像生成手段は、設定された前記骨格モデルに基づいて、髪、目、眉毛、まつげ、爪若しくは肌の色又は髪、目、眉毛、まつげ若しくは爪の形状を変更した前記モデル画像を生成する、
ことを特徴とする、請求項５に記載の試着シミュレーションシステム。
【請求項７】
請求項５又は請求項６に記載の試着シミュレーションシステムと、前記試着シミュレーションシステムと有線及び／又は無線で接続された情報端末とを含む販売を支援する販売支援システムであって、
前記情報端末は、情報を入力する入力手段と情報を表示する表示手段とを備え、前記入力手段を用いて入力された前記入力情報を前記試着シミュレーションシステムに出力し、前記試着シミュレーションシステムから前記出力情報を入力されたときに前記表示手段で試着した状態を模擬した前記試着画像を表示する、
ことを特徴とする販売支援システム。
【請求項８】
人若しくは動物又はものの形状を電子データ化して模擬する三次元形状模擬方法であって、
記憶手段を用いて、前記人若しくは動物又はものの形状に関する情報を記憶する記憶ステップと、
制御手段を用いて、前記人若しくは動物又はものに関する入力情報を入力する動作と、模擬した状態に関する出力情報を出力する動作とを制御する制御ステップと、
サイズ設定手段を用いて、前記制御ステップで入力された前記入力情報に基づいて、骨格モデルのサイズを設定するサイズ設定ステップと、
モデル画像生成手段を用いて、前記サイズ設定ステップで設定された前記骨格モデルに基づいて、モデル画像を生成するモデル画像生成ステップと
を含む、ことを特徴とする三次元形状模擬方法。
【請求項９】
前記骨格モデルは、試着する人若しくは動物又はものの形状に対応する複数の支持片を複数の支点で連結した連結モデルであり、
前記サイズ設定ステップは、入力された前記入力情報に基づいて、前記複数の支持片の１つ又は２つ以上の長さを変更して、前記骨格モデルの形状を設定する、
ことを特徴とする、請求項８に記載の三次元形状模擬方法。
【請求項１０】
前記連結モデルは、前記人若しくは動物又はものの部位に対応する複数の部位モデルで構成され、
前記サイズ設定ステップは、前記複数の部位モデルを結合して前記骨格モデルを構成するステップを更に含む、
ことを特徴とする、請求項９に記載の三次元形状模擬方法。
【請求項１１】
前記骨格モデルは、女性、男性、子供、シニア、犬及び猫にそれぞれ対応する複数のカテゴリーに分類された複数の骨格モデルを含み、
前記入力情報に基づいて、前記複数のカテゴリーから所望のカテゴリーに対応する所望の骨格モデルを選択するカテゴリー選択ステップを更に含み、
前記サイズ設定ステップは、前記カテゴリー選択ステップで選択した前記所望の骨格モデルの形状を設定し、
前記モデル画像生成ステップは、前記サイズ設定ステップで設定された前記所望の骨格モデルに基づいて、所望の前記モデル画像を生成する、
ことを特徴とする、請求項１０に記載の三次元形状模擬方法。
【請求項１２】
請求項８乃至請求項１１のいずれか一項に記載の三次元形状模擬方法を用いて、試着した状態を模擬する試着シミュレーションシステムであって、
前記記憶ステップは、試着するアイテムに関する情報を更に記憶し、
前記アイテムに関する情報を用いて、生成された前記モデル画像に基づいて、試着した状態を模擬した試着画像を生成する試着画像生成ステップを更に含み、
前記制御ステップは、入力された前記アイテムに関する情報に基づいて、前記記憶ステップが記憶しているアイテム画像を選択し、
前記試着画像生成ステップは、前記モデル画像生成ステップで生成した前記モデル画像に、前記制御ステップで選択した前記アイテム画像を重畳して、前記試着画像を生成する、
ことを特徴とする試着シミュレーション方法。
【請求項１３】
前記モデル画像生成ステップは、前記サイズ設定ステップで設定された前記骨格モデルに基づいて、髪、目、眉毛、まつげ、爪若しくは肌の色又は髪、目、眉毛、まつげ若しくは爪の形状を変更した前記モデル画像を生成する、
ことを特徴とする、請求項１２に記載の試着シミュレーション方法。
【請求項１４】
請求項１２又は請求項１３に記載の試着シミュレーション方法と、前記制御手段と有線及び／又は無線で接続された情報端末を用いて情報の入出力を実施する販売支援ステップとを含む販売を支援する販売支援方法であって、
前記情報端末は、情報を入力する入力手段と情報を表示する表示手段とを備え、
前記販売支援ステップは、前記情報端末の前記入力手段を用いて入力された前記入力情報を前記制御手段に出力し、前記制御手段から前記出力情報を前記情報端末に入力されたときに前記表示手段で試着した状態を模擬した前記試着画像を表示する、
ことを特徴とする販売支援方法。
【請求項１５】
請求項８乃至請求項１１のいずれか一項に記載の三次元形状模擬方法、請求項１２若しくは請求項１３に記載の試着シミュレーション方法又は請求項１４に記載の販売支援方法をコンピュータに実行させるためのプログラム。
【請求項１６】
請求項１５に記載のプログラムを記録したコンピュータ読み取り可能な記録媒体。
【発明の詳細な説明】
【技術分野】
【０００１】
本発明は、三次元形状を模擬する三次元形状模擬システム、試着シミュレーションシステム、三次元形状模擬方法及び試着シミュレーション方法に関する。また、本発明は、三次元形状模擬システム、試着シミュレーションシステム、三次元形状模擬方法又は試着シミュレーション方法を用いた販売支援システム又は販売支援方法に関するものであってもよい。
【背景技術】
【０００２】
特許文献１では、試着シミュレーションとして、着せ替えシミュレーション用に作製されていない衣服等の画像データを着せ替えシミュレーションに利用する技術を開示している。
【先行技術文献】
【特許文献】
【０００３】
【特許文献１】特開２０１２−１９４７８２号公報
【発明の概要】
【発明が解決しようとする課題】
【０００４】
しかしながら、特許文献１に開示されている技術では、試着した状態を模擬する方法に用いる場合に、試着する人若しくは動物又はものの三次元形状に対応した試着模擬をすることができない場合がある。また、特許文献１には、試着した状態を模擬する方法に用いる場合に、試着させる人若しくは動物又はものの三次元形状（アバターなど）を変更して試着模擬をする技術が記載されていない。更に、特許文献１には、試着した状態を模擬する方法に用いて販売を支援する場合に、試着する人若しくは動物又はものの三次元形状に対応した試着模擬をすることができない場合がある。
【０００５】
本発明は、人若しくは動物又はものの三次元形状を模擬する三次元形状模擬システム、三次元形状模擬方法、試着を模擬する試着シミュレーションシステム、試着シミュレーション方法、又は、その三次元形状模擬システム若しくは試着シミュレーションシステムを用いて販売を支援する販売支援システム若しくは販売支援方法を提供することを目的とする。
【課題を解決するための手段】
【０００６】
上記課題を解決するために、本発明の一つの実施形態は、人若しくは動物又はものの形状を電子データ化して模擬する三次元形状模擬システムであって、前記人若しくは動物又はものの形状に関する情報を記憶する記憶手段と、前記人若しくは動物又はものに関する入力情報を入力する動作と、模擬した状態に関する出力情報を出力する動作とを制御する制御手段と、前記入力情報に基づいて、骨格モデルのサイズを設定するサイズ設定手段と、設定された前記骨格モデルに基づいて、モデル画像を生成するモデル画像生成手段と、を有することを特徴とする三次元形状模擬システムを提供する。また、前記骨格モデルは、前記人若しくは動物又はものの形状に対応する複数の支持片を複数の支点で連結した連結モデルであり、前記サイズ設定手段は、入力された前記入力情報に基づいて、前記複数の支持片の１つ又は２つ以上の長さを変更して、前記骨格モデルの形状を設定する、ことを特徴とする三次元形状模擬システムであってもよい。また、前記連結モデルは、前記人若しくは動物又はものの部位に対応する複数の部位モデルで構成され、前記骨格モデルは、前記複数の部位モデルを結合して構成される、ことを特徴とする三次元形状模擬システムであってもよい。また、前記骨格モデルは、女性、男性、子供、シニア、犬及び猫にそれぞれ対応する複数のカテゴリーに分類された複数の骨格モデルを含み、前記入力情報に基づいて、前記複数のカテゴリーから所望のカテゴリーに対応する所望の骨格モデルを選択するカテゴリー選択手段を更に有し、前記サイズ設定手段は、前記カテゴリー選択手段が選択した前記所望の骨格モデルの形状を設定し、前記モデル画像生成手段は、設定された前記所望の骨格モデルに基づいて、所望の前記モデル画像を生成する、ことを特徴とする三次元形状模擬システムであってもよい。
【０００７】
本発明の他の実施形態は、上記のいずれか一つの三次元形状模擬システムを用いて、試着した状態を模擬する試着シミュレーションシステムであって、前記記憶手段は、試着するアイテムに関する情報を更に記憶し、前記アイテムに関する情報を用いて、生成された前記モデル画像に基づいて、試着した状態を模擬した試着画像を生成する試着画像生成手段を更に有し、前記制御手段は、入力された前記アイテムに関する情報に基づいて、前記記憶手段が記憶しているアイテム画像を選択し、前記試着画像生成手段は、前記モデル画像生成手段が生成した前記モデル画像に、前記制御手段が選択した前記アイテム画像を重畳して、前記試着画像を生成する、ことを特徴とする試着シミュレーションシステムを提供する。また、前記モデル画像生成手段は、設定された前記骨格モデルに基づいて、髪、目、眉毛、まつげ、爪若しくは肌の色又は髪、目、眉毛、まつげ若しくは爪の形状を変更した前記モデル画像を生成する、ことを特徴とする試着シミュレーションシステムであってもよい。
【０００８】
本発明の他の実施形態は、上記のいずれか一つの試着シミュレーションシステムと、前記試着シミュレーションシステムと有線及び／又は無線で接続された情報端末とを含む販売を支援する販売支援システムであって、前記情報端末は、情報を入力する入力手段と情報を表示する表示手段とを備え、前記入力手段を用いて入力された前記入力情報を前記試着シミュレーションシステムに出力し、前記試着シミュレーションシステムから前記出力情報を入力されたときに前記表示手段で試着した状態を模擬した前記試着画像を表示する、ことを特徴とする販売支援システムを提供する。
【０００９】
本発明の他の実施形態は、人若しくは動物又はものの形状を電子データ化して模擬する三次元形状模擬方法であって、記憶手段を用いて、前記人若しくは動物又はものの形状に関する情報を記憶する記憶ステップと、制御手段を用いて、前記人若しくは動物又はものに関する入力情報を入力する動作と、模擬した状態に関する出力情報を出力する動作とを制御する制御ステップと、サイズ設定手段を用いて、前記制御ステップで入力された前記入力情報に基づいて、骨格モデルのサイズを設定するサイズ設定ステップと、モデル画像生成手段を用いて、前記サイズ設定ステップで設定された前記骨格モデルに基づいて、モデル画像を生成するモデル画像生成ステップと、を含む、ことを特徴とする三次元形状模擬方法を提供する。また、前記骨格モデルは、試着する人若しくは動物又はものの形状に対応する複数の支持片を複数の支点で連結した連結モデルであり、前記サイズ設定ステップは、入力された前記入力情報に基づいて、前記複数の支持片の１つ又は２つ以上の長さを変更して、前記骨格モデルの形状を設定する、ことを特徴とする三次元形状模擬方法であってもよい。また、前記連結モデルは、前記人若しくは動物又はものの部位に対応する複数の部位モデルで構成され、前記サイズ設定ステップは、前記複数の部位モデルを結合して前記骨格モデルを構成するステップを更に含む、ことを特徴とする三次元形状模擬方法であってもよい。また、前記骨格モデルは、女性、男性、子供、シニア、犬及び猫にそれぞれ対応する複数のカテゴリーに分類された複数の骨格モデルを含み、前記入力情報に基づいて、前記複数のカテゴリーから所望のカテゴリーに対応する所望の骨格モデルを選択するカテゴリー選択ステップを更に含み、前記サイズ設定ステップは、前記カテゴリー選択ステップで選択した前記所望の骨格モデルの形状を設定し、前記モデル画像生成ステップは、前記サイズ設定ステップで設定された前記所望の骨格モデルに基づいて、所望の前記モデル画像を生成する、ことを特徴とする三次元形状模擬方法であってもよい。
【００１０】
本発明の他の実施形態は、上記のいずれか一つの三次元形状模擬方法を用いて、試着した状態を模擬する試着シミュレーションシステムであって、前記記憶ステップは、試着するアイテムに関する情報を更に記憶し、前記アイテムに関する情報を用いて、生成された前記モデル画像に基づいて、試着した状態を模擬した試着画像を生成する試着画像生成ステップを更に含み、前記制御ステップは、入力された前記アイテムに関する情報に基づいて、前記記憶ステップが記憶しているアイテム画像を選択し、前記試着画像生成ステップは、前記モデル画像生成ステップで生成した前記モデル画像に、前記制御ステップで選択した前記アイテム画像を重畳して、前記試着画像を生成する、ことを特徴とする試着シミュレーション方法を提供する。また、前記モデル画像生成ステップは、前記サイズ設定ステップで設定された前記骨格モデルに基づいて、髪、目、眉毛、まつげ、爪若しくは肌の色又は髪、目、眉毛、まつげ若しくは爪の形状を変更した前記モデル画像を生成する、ことを特徴とする試着シミュレーション方法であってもよい。
【００１１】
本発明の他の実施形態は、上記のいずれか一つの試着シミュレーション方法と、前記制御手段と有線及び／又は無線で接続された情報端末を用いて情報の入出力を実施する販売支援ステップとを含む販売を支援する販売支援方法であって、前記情報端末は、情報を入力する入力手段と情報を表示する表示手段とを備え、前記販売支援ステップは、前記情報端末の前記入力手段を用いて入力された前記入力情報を前記制御手段に出力し、前記制御手段から前記出力情報を前記情報端末に入力されたときに前記表示手段で試着した状態を模擬した前記試着画像を表示することを特徴とする販売支援方法を提供する。
【００１２】
また、本発明の他の実施形態は、上記の三次元形状模擬方法、上記の試着シミュレーション方法又は上記の販売支援方法のいずれか一つをコンピュータに実行させるためのプログラムであってもよい。また、前記プログラムを記録したコンピュータ読み取り可能な記録媒体であってもよい。
【発明の効果】
【００１３】
本発明に係る三次元形状模擬システム、試着シミュレーションシステム、三次元形状模擬方法又は試着シミュレーション方法によれば、人若しくは動物又はものの三次元形状を模擬することができる。また、本発明に係る三次元形状模擬システム、試着シミュレーションシステム、三次元形状模擬方法若しくは試着シミュレーション方法を用いた販売支援システム又は販売支援方法によれば、人若しくは動物又はものの三次元形状に対応した試着模擬を用いて、販売を支援することができる。
【図面の簡単な説明】
【００１４】
【図１】本発明の実施形態に係る三次元形状模擬システムの一例を示す概略構成図である。
【図２】本発明の実施形態に係る三次元形状模擬システムのサイズ設定手段が設定する骨格モデルの一例を説明する説明図である。
【図３】本発明の実施形態に係る三次元形状模擬システムのサイズ設定手段が設定する骨格モデル（部位モデル）の一例を説明する説明図である。
【図４】本発明の実施形態に係る三次元形状模擬システムのモデル画像生成手段が生成するモデル画像の一例を説明する説明図である。
【図５】本発明の実施形態に係る三次元形状模擬システムのモデル画像生成手段が生成するモデル画像の三次元形状の一例を説明する説明図である。
【図６】本発明の実施形態に係る三次元形状模擬システムの動作の一例を説明するフローチャート図である。
【図７】本発明の実施例１に係る試着シミュレーションシステムの一例を示す概略構成図である。
【図８】本発明の実施例１に係る試着シミュレーションシステムの試着画像生成手段が模擬する試着画像の一例を説明する説明図である。
【図９】本発明の実施例１に係る試着シミュレーションシステムの動作の一例を説明するフローチャート図である。
【図１０】本発明の実施例２に係る試着シミュレーションシステムの一例を示す概略構成図である。
【図１１】本発明の実施例２に係る試着シミュレーションシステムに用いる骨格モデルの一例を示す説明図である。
【図１２】本発明の実施例２に係る試着シミュレーションシステムの動作の一例を説明するフローチャート図である。
【図１３】本発明の実施例３に係る販売支援システムの一例を示す概略構成図である。
【図１４】本発明の実施例３に係る販売支援システムの動作の一例を説明するフローチャート図である。
【図１５】本発明の実施例３に係る販売支援システムの表示手段の表示結果の一例を説明する説明図である。
【図１６】本発明の実施例３に係る販売支援システムの表示手段の表示結果の他の例を説明する説明図である。
【図１７】本発明の実施例３に係る販売支援システムの情報端末の例を説明する説明図である。
【発明を実施するための形態】
【００１５】
人若しくは動物又はものの形状を電子データ化して模擬する実施形態に係る三次元形状模擬システムの例を用いて、本発明を説明する。なお、本発明は、以後に説明する三次元形状模擬システム以外でも、人若しくは動物又はものの形状に対応したモデル（画像データ、動画データ、テンプレート、アバターなど）を用いて、三次元形状を模擬する（データ、電子データ、電子情報などを生成する）もの（装置、機械、部品、システム、アプリケーションなど）であれば、いずれのものにも用いることができる。また、本発明は、例えば双方向にデータ通信することができる情報端末（携帯電話、スマートフォン、タブレット、パソコンなど）で試着した状態を模擬したデータを利用して、試着品を販売する販売支援システムに利用してもよい。また、本発明は、試着した状態を模擬したデータを利用して、服の仕立て直しに利用してもよい。また、本発明は、人の体形の変形を模擬したデータを利用して、例えば美容分野で変形前後（例えば施術前後）の体形を比較するものに利用してもよい。また、本発明は、ものの形状を模擬したデータを利用して、例えばフィギュア用の服やプラモデルのパーツの販売支援に利用してもよい。
【００１６】
下記に示す順序で、本発明を説明する。
１．三次元形状模擬システムの構成
２．三次元形状模擬システムの動作
３．実施例
３−１  実施例１に係る試着シミュレーションシステム
３−２  実施例２に係る試着シミュレーションシステム
３−３  実施例３に係る販売支援システム
（１．三次元形状模擬システムの構成）
【００１７】
図１乃至図５を用いて、本発明の実施形態に係る三次元形状模擬システム１００の構成を説明する。ここで、図１は、本発明に係る三次元形状模擬システムの一例を示す概略構成図である。図２は、本実施形態に係る三次元形状模擬システム１００のサイズ設定手段１２が設定する骨格モデルの一例を説明する説明図である。図３は、本実施形態に係る三次元形状模擬システム１００のサイズ設定手段１２が設定する骨格モデル（部位モデル）の一例を説明する説明図である。図４は、本実施形態に係る三次元形状模擬システム１００のモデル画像生成手段１３が生成するモデル画像の一例を説明する説明図である。図５は、本実施形態に係る三次元形状模擬システム１００のモデル画像生成手段１３が生成するモデル画像の三次元形状の一例を説明する説明図である。なお、図１に示す三次元形状模擬システムの構成および図２乃至図５の例は一例であり、本発明は図１に示す三次元形状模擬システムに限定されるものではない。また、三次元形状模擬システム１００は、スタンドアロンの装置（専用装置等）であってもよいし、ネットワークを介して複数の端末と通信可能な装置（ＰＣ（Personal Computer）やサーバ等のコンピュータ）であってもよい。
【００１８】
図１に示すように、三次元形状模擬システム１００は、三次元形状模擬システム１００の全体の動作を制御する制御手段１０と、人若しくは動物又はものの形状に関する情報を記憶する記憶手段１１と、人若しくは動物又はものの形状に関する情報（以下、骨格モデルという。）のサイズを設定するサイズ設定手段１２と、人若しくは動物又はものの画像に関する情報（以下、モデル画像という。）を生成するモデル画像生成手段１３と、を有する。
【００１９】
本発明に係る三次元形状模擬システム１００は、人若しくは動物又はものの形状を電子データ化して模擬するシステムである。三次元形状模擬システム１００は、本実施形態では、記憶手段１１を用いて人若しくは動物又はものの形状に関する情報を記憶し、サイズ設定手段１２を用いて骨格モデルを設定し、モデル画像生成手段１３を用いて所望のモデル画像を生成する。なお、本発明に係る三次元形状模擬システム１００は、サイバー上（電子空間、仮想空間など）における人または対象物（動物やもの等）の形姿を模したもの（アバター、分身など）を生成するシステムに用いることができる。
【００２０】
以下に、各構成を具体的に説明する。
【００２１】
制御手段１０は、三次元形状模擬システム１００の各構成に動作を指示し、三次元形状模擬システム１００の動作を制御する手段である。制御手段１０は、例えばＣＰＵ（Central Processing Unit）及びメモリで構成される演算装置を用いることができる。また、制御手段１０は、三次元形状模擬システム１００に予め搭載されている演算装置、コントローラ又はその他制御手段を利用する構成であってもよい。
【００２２】
制御手段１０は、本実施形態では、三次元形状模擬システム１００外部から入力される人若しくは動物又はものに関する情報（以下、入力情報という。）を入力する動作と、三次元形状模擬システム１００外部に出力される模擬した状態に関する情報（以下、出力情報という。）を出力する動作と、を制御する。なお、制御手段１０は、入力情報として、文字データ、画像データ、動画データ、音声データ、スキャンデータなどを用いることができる。
【００２３】
記憶手段１１は、人若しくは動物又はものの形状を模擬するために必要な情報を記憶する手段である。記憶手段１１は、電子情報をデータベースとして記憶する公知の技術（ハードディスク、メモリなど）を用いることができる。 記憶手段１１は、例えばＨＤＤ（Hard Disk Drive）やＳＳＤ（Solid State Drive）等の不揮発性記憶装置であってもよい。なお、記憶手段１１は、人若しくは動物又はものの形状を模擬するために必要な情報以外の情報も記憶する構成であってもよい。
【００２４】
記憶手段１１は、本実施形態では、人若しくは動物又はものの形状に関する情報を記憶する。また、記憶手段１１は、サイズ設定手段１２が設定した骨格モデルおよびモデル画像生成手段１３が生成したモデル画像を記憶する。ここで、人若しくは動物又はものの形状に関する情報、骨格モデルおよびモデル画像とは、文字データ、画像データ、動画データ、又は、その他電子的に送受信可能な情報である。
【００２５】
サイズ設定手段１２は、人若しくは動物又はものの形状に対応した骨格モデルのサイズを設定する手段である。サイズ設定手段１２は、例えばＣＰＵ及びメモリで構成される演算装置を用いることができる。なお、サイズ設定手段１２は、制御手段１０の演算装置を利用する構成であってもよい。
【００２６】
サイズ設定手段１２は、入力情報に基づいて、骨格モデルのサイズを設定する。ここで、骨格モデルとは、図２（ａ）に示すように、人若しくは動物又はものの形状に対応する複数の支持片（１２ｂ）を複数の支点（１２ｃ）で連結した連結モデル（１２ａ）である。
【００２７】
サイズ設定手段１２は、本実施形態では、三次元形状模擬システム１００外部から入力された入力情報に基づいて、連結モデル（骨格モデル）の複数の支持片の１つ又は２つ以上の長さを変更する。サイズ設定手段１２は、例えば図２（ａ）に示す通常サイズの骨格モデル、図２（ｂ）に示す細めサイズの骨格モデル、図２（ｃ）に示す太めサイズの骨格モデル及び図２（ｄ）に示す小さめサイズの骨格モデルを設定する。ここで、サイズ設定手段１２は、図２に示すように、任意の支持片の長さを変更することによって、例えば首部の太さ、腕部・脚部の太さ、胸部の形状などを変更することができる。また、サイズ設定手段１２は、任意の支点を中心に任意の支持片の位置を変更することによって、人若しくは動物の姿勢・体勢・ポーズに対応する形状に変形してもよい。これにより、サイズ設定手段１２は、骨格モデルを所望の形状に設定することができる。
【００２８】
また、サイズ設定手段１２は、連結モデルとして、人若しくは動物の部位（例えば頭部）に対応する複数の部位モデルを用いてもよい。サイズ設定手段１２は、例えば図３（ａ）乃至図３（ｃ）に示す頭部の形状が異なる複数の部位モデル１２ｄ（１２ｄａから１２ｄｃ）から所望の形状の部位モデルを選択し、選択した部位モデルを用いて骨格モデル（例えば図２）を設定してもよい。
【００２９】
モデル画像生成手段１３は、人若しくは動物又はものの画像に関するモデル画像を生成する手段である。モデル画像生成手段１３は、例えばＣＰＵ及びメモリで構成される演算装置を用いることができる。なお、モデル画像生成手段１３は、制御手段１０の演算装置を利用する構成であってもよい。ここで、モデル画像とは、図４に示すように、人若しくは動物又はものの形状に対応する画像データである。
【００３０】
モデル画像生成手段１３は、サイズ設定手段１２で設定された骨格モデルに基づいて、画像データの縦横比を変更することによって、所望のモデル画像を生成する。モデル画像生成手段１３は、本実施形態では、通常サイズの骨格モデル（図２（ａ））を用いて、図４（ａ）に示す通常タイプの画像データを生成する。また、モデル画像生成手段１３は、本実施形態では、細めサイズの骨格モデル（図２（ｂ））を用いて、図４（ｂ）に示す細めタイプの画像データを生成する。また、モデル画像生成手段１３は、太めサイズの骨格モデル（図２（ｃ））を用いて、図４（ｃ）に示す太めタイプの画像データを生成する。また、モデル画像生成手段１３は、小さめサイズの骨格モデル（図２（ｄ））を用いて、図４（ｄ）に示す小さめタイプの画像データを生成する。これにより、モデル画像生成手段１３は人若しくは動物又はものの形状を所望の形状にすることができる。
【００３１】
また、モデル画像生成手段１３は、図５に示すように、サイズ設定手段１２で設定された骨格モデルに基づいて、三次元形状のモデル画像を生成してもよい。モデル画像生成手段１３は、例えば前方（図５（ａ））、側方（図５（ｂ））、後方（図５（ｃ））から見たモデル画像を生成してもよい。
【００３２】
また、本発明に係る三次元形状模擬システム１００は、骨格モデルとして、女性、男性、子供、シニア、犬及び猫又はその他模擬する対象の形状にそれぞれ対応する複数のカテゴリーに分類された複数の骨格モデルを用いて、入力情報に基づいて複数のカテゴリーから所望のカテゴリーに対応する所望の骨格モデルを選択するカテゴリー選択手段を更に有してもよい。これにより、三次元形状模擬システム１００は、サイズ設定手段１２を用いてカテゴリー選択手段が選択した所望の骨格モデルの形状を設定し、モデル画像生成手段１３を用いて所望の骨格モデルに基づいて所望のモデル画像（例えば後述する図１１）を生成することができる。  
（２．三次元形状模擬システムの動作）
【００３３】
図６を用いて、三次元形状模擬システム１００（図１）が三次元形状を模擬する動作（三次元形状模擬方法）を説明する。ここで、図６は、本発明の実施形態に係る三次元形状模擬システム１００の動作の例を説明するフローチャート図である。なお、図６に示す三次元形状模擬システムの動作は一例であり、本発明は図６に示す三次元形状模擬システムの動作に限定されるものではない。
【００３４】
図６に示すように、三次元形状模擬システム１００は、ステップＳ６０１において、先ず、制御手段１０（図１）を用いて、模擬する動作を開始する。制御手段１０は、例えば三次元形状模擬システム１００の外部から入力された情報に応じて、模擬する動作を開始することができる。その後、三次元形状模擬システム１００は、ステップＳ６０２に進む。
【００３５】
次に、ステップＳ６０２において、三次元形状模擬システム１００は、記憶手段１１（図１）を用いて、試着に用いるアイテム等を記憶する（記憶ステップ）。記憶手段１１は、アイテムの種類、試着対象、価格などに対応付けて記憶してもよい。なお、記憶手段１１は、試着に用いるアイテム等を予め記憶しているデータベースなどを利用する構成であってもよい。その後、三次元形状模擬システム１００は、ステップＳ６０３に進む。
【００３６】
次いで、ステップＳ６０３において、三次元形状模擬システム１００は、制御手段１０（図１）を用いて、人若しくは動物又はものに関する入力情報を入力される（制御ステップ）。ここで、制御手段１０は、入力情報として、少なくとも試着する人若しくは動物又はものの形状に関する情報を入力される。また、制御手段１０は、入力情報に基づいて、ステップＳ６０２で記憶されたアイテム画像を選択する。その後、三次元形状模擬システム１００は、ステップＳ６０４に進む。
【００３７】
ステップＳ６０４において、三次元形状模擬システム１００は、サイズ設定手段１２（図１）を用いて、ステップＳ６０３で入力された入力情報に基づいて、骨格モデル（例えば図２）のサイズを設定する（サイズ設定ステップ）。ここで、サイズ設定手段１２は、試着する人若しくは動物又はものの形状に対応する複数の支持片を複数の支点で連結した連結モデル（骨格モデル）の複数の支持片の１つ又は２つ以上の長さを変更することによって、骨格モデルを所望のサイズに設定する。その後、三次元形状模擬システム１００は、ステップＳ６０５に進む。なお、サイズ設定手段１２は、骨格モデルとして、女性、男性、子供、シニア、犬及び猫又はその他模擬する対象の形状にそれぞれ対応する複数のカテゴリーに分類された複数の骨格モデルを用いて、入力情報に基づいて選択された所望の骨格モデルを設定してもよい。  
【００３８】
ステップＳ６０５において、三次元形状模擬システム１００は、モデル画像生成手段１３（図１）を用いて、モデル画像（例えば図４）を生成する（モデル画像生成ステップ）。ここで、モデル画像生成手段１３は、ステップＳ６０４で設定された骨格モデルに基づいて、画像データの例えば縦横比を変更することによって、所望のモデル画像を生成する。その後、三次元形状模擬システム１００は、ステップＳ６０６に進む。
【００３９】
ステップＳ６０６において、三次元形状模擬システム１００は、制御手段１０を用いて、ステップＳ６０５で生成されたモデル画像（出力情報）を出力する（制御ステップ）。ここで、三次元形状模擬システム１００は、記憶手段１１を用いて、ステップＳ６０４で設定された骨格モデルおよびステップＳ６０５で生成されたモデル画像を記憶してもよい。
【００４０】
また、三次元形状模擬システム１００は、ステップＳ６０６において、制御手段１０を用いて、模擬する動作を繰り返すか否かを判断する。制御手段１０は、例えば三次元形状模擬システム１００の外部から入力された情報に基づいて、模擬する動作を繰り返すか否かを判断することができる。これにより、三次元形状模擬システム１００は、所望の間、三次元形状を模擬する動作を繰り返すことができる。その後、模擬する動作を繰り返すと判断した場合には、三次元形状模擬システム１００は、ステップＳ６０３に戻る。模擬する動作を終了すると判断した場合には、三次元形状模擬システム１００は、図中の「ＥＮＤ」に進み、動作を終了する。
【００４１】
以上のとおり、本発明に係る三次元形状模擬システム１００は、人若しくは動物又はものの形状に対応して、三次元形状を模擬することができる。また、本発明に係る三次元形状模擬システム１００は、人若しくは動物又はものの形状を変更して、三次元形状を模擬することができる。
（三次元形状模擬方法のプログラム及び記録媒体）
【００４２】
本発明に係る三次元形状模擬方法のプログラムＰｒ１は、前述の実施形態に係る三次元形状模擬システム１００を用いて、人若しくは動物又はものの形状を電子データ化して模擬する三次元形状模擬方法であって、記憶手段を用いて、前記人若しくは動物又はものの形状に関する情報を記憶する記憶ステップと、制御手段を用いて、前記人若しくは動物又はものに関する入力情報を入力する動作と、模擬した状態に関する出力情報を出力する動作とを制御する制御ステップと、サイズ設定手段を用いて、前記制御ステップで入力された前記入力情報に基づいて、骨格モデルのサイズを設定するサイズ設定ステップと、モデル画像生成手段を用いて、前記サイズ設定ステップで設定された前記骨格モデルに基づいて、モデル画像を生成するモデル画像生成ステップと、を含む、ことを特徴とする三次元形状模擬方法を実行する。また、本発明に係る三次元形状模擬方法のプログラムＰｒ１において、前記骨格モデルは、試着する人若しくは動物又はものの形状に対応する複数の支持片を複数の支点で連結した連結モデルであり、前記サイズ設定ステップは、入力された前記入力情報に基づいて、前記複数の支持片の１つ又は２つ以上の長さを変更して、前記骨格モデルの形状を設定する、ことを特徴とする三次元形状模擬方法を実行してもよい。また、本発明に係る三次元形状模擬方法のプログラムＰｒ１において、前記連結モデルは、前記人若しくは動物又はものの部位に対応する複数の部位モデルで構成され、前記サイズ設定ステップは、前記複数の部位モデルを結合して前記骨格モデルを構成するステップを更に含む、ことを特徴とする三次元形状模擬方法を実行してもよい。また、本発明に係る三次元形状模擬方法のプログラムＰｒ１において、前記骨格モデルは、女性、男性、子供、シニア、犬及び猫にそれぞれ対応する複数のカテゴリーに分類された複数の骨格モデルを含み、前記入力情報に基づいて、前記複数のカテゴリーから所望のカテゴリーに対応する所望の骨格モデルを選択するカテゴリー選択ステップを更に含み、前記サイズ設定ステップは、前記カテゴリー選択ステップで選択した前記所望の骨格モデルの形状を設定し、前記モデル画像生成ステップは、前記サイズ設定ステップで設定された前記所望の骨格モデルに基づいて、所望の前記モデル画像を生成する、ことを特徴とする三次元形状模擬方法を実行してもよい。
【００４３】
上記のプログラムＰｒ１によれば、本発明に係る三次元形状模擬システム１００（前述）と同等の効果が得られる。
【００４４】
また、本発明は、プログラムＰｒ１を記録したコンピュータによって読み取り可能な記録媒体Ｍｄ１としてもよい。記録媒体Ｍｄ１には、フレキシブルディスク、ＣＤ−ＲＯＭ、ＤＶＤ、及び、メモリーカード等、コンピュータ読み取り可能な媒体を利用することができる。更に、本発明は、プログラムＰｒ１をインターネット等のネットワークを介して送信することが可能な伝送可能媒体であってもよい。
【実施例】
【００４５】
実施形態に係る三次元形状模擬システム１００を含む試着シミュレーションシステム及び販売支援システムの実施例を用いて、本発明を説明する。なお、本発明は、以後に説明する試着シミュレーションシステム及び販売支援システム以外でも、所望に変更可能な骨格モデルを用いて試着した状態を模擬するものであれば、いずれのものにも用いることができる。
（実施例１）
（１．試着シミュレーションシステムの構成）
【００４６】
図７及び図８を用いて、本発明の実施例に係る試着シミュレーションシステム１１０の構成を説明する。ここで、図７は、本実施例に係る試着シミュレーションシステム１１０の一例を説明する概略構成図である。図８は、本実施例に係る試着シミュレーションシステム１１０の試着画像生成手段１４が模擬する試着画像の一例を説明する説明図である。なお、図７に示す試着シミュレーションシステムの構成は一例であり、本発明は図７に示す試着シミュレーションシステムに限定されるものではない。
【００４７】
図７に示すように、本実施例に係る試着シミュレーションシステム１１０は、実施形態に係る三次元形状模擬システム１００と、試着した状態を模擬した試着画像を生成する試着画像生成手段１４とを有する。
【００４８】
以後の説明では、前述の実施形態に係る三次元形状模擬システム１００と異なる部分を主に説明する。
【００４９】
図７に示すように、本実施例に係る試着シミュレーションシステム１１０は、試着シミュレーションシステム１１０の全体の動作を制御する制御手段１０と、試着するアイテムに関する情報を記憶する記憶手段１１と、骨格モデルのサイズを設定するサイズ設定手段１２と、モデル画像を生成するモデル画像生成手段１３と、試着した状態を模擬した画像（以下、試着画像という。）を生成する試着画像生成手段１４と、を有する。
【００５０】
試着シミュレーションシステム１１０は、試着した状態を模擬するシステムである。試着シミュレーションシステム１１０は、本実施例では、記憶手段１１を用いて試着に用いるアイテムを記憶し、サイズ設定手段１２を用いて骨格モデルを設定し、モデル画像生成手段１３を用いて所望のモデル画像を生成し、試着画像生成手段１４を用いて所望のモデル画像に所望のアイテムを試着させた状態を模擬した試着画像を生成する。
【００５１】
制御手段１０は、本実施例では、入力されたアイテムに関する情報に基づいて、記憶手段１１が記憶しているアイテム画像を選択する。
【００５２】
記憶手段１１は、試着した状態を模擬するために必要な情報を記憶する手段である。記憶手段１１は、本実施例では、試着するアイテムに関する情報を記憶する。また、記憶手段１１は、試着画像生成手段１４が生成した試着画像を更に記憶する。ここで、アイテムに関する情報、骨格モデル、モデル画像および試着画像とは、文字データ、画像データ、動画データ、又は、その他電子的に送受信可能な情報である。なお、アイテムに関する情報とは、例えば衣服（トップス（上衣）、ボトムス（下衣）、カーディガン、カットソー、シャツ、ジャケット、セーター、チュニック、パンツ、ショートパンツ、スカート、下着、水着、ネクタイ、帽子、マフラーなど）、鞄、装飾品（アクセサリ、時計、眼鏡など）、履物等の情報である。
【００５３】
サイズ設定手段１２は、試着させるものの形状に関する骨格モデルのサイズを設定する手段である。
【００５４】
モデル画像生成手段１３は、試着させるものの画像に関するモデル画像を生成する手段である。モデル画像生成手段１３は、ここで、モデル画像とは、試着する人若しくは動物又はものの形状に対応する画像データである。なお、モデル画像生成手段１３は、モデル画像の髪、目、眉毛、まつげ、爪若しくは肌の色又は髪、目、眉毛、まつげ若しくは爪の形状を再調整するものであってもよい。
【００５５】
試着画像生成手段１４は、試着した状態を模擬した試着画像を生成する手段である。試着画像生成手段１４は、例えばＣＰＵ及びメモリで構成される演算装置を用いることができる。なお、モデル画像生成手段１３は、制御手段１０の演算装置を利用する構成であってもよい。ここで、試着画像とは、例えば図８に示すように、人若しくは動物又はものに所望のアイテムを試着させた状態の画像データである。
【００５６】
試着画像生成手段１４は、本実施形態では、記憶手段１１に記憶しているアイテムに関する情報を用いて、モデル画像生成手段１３が生成したモデル画像に基づいて、試着した状態を模擬した試着画像を生成する。具体的には、試着画像生成手段１４は、モデル画像生成手段１３が生成したモデル画像に、制御手段１０が選択したアイテム画像を重畳して、試着画像を生成する。
【００５７】
試着画像生成手段１４は、例えば通常タイプのモデル画像（図４（ａ））を用いて、図８（ａ）に示す試着画像を生成することができる。また、試着画像生成手段１４は、例えば細みタイプのモデル画像（図４（ｂ））を用いて、図８（ｂ）に示す試着画像を生成することができる。また、試着画像生成手段１４は、例えば太めタイプのモデル画像（図４（ｃ））を用いて、図８（ｃ）に示す試着画像を生成することができる。また、試着画像生成手段１４は、例えば小さめタイプのモデル画像（図４（ｄ））を用いて、図８（ｄ）に示す試着画像を生成することができる。なお、試着画像生成手段１４は、例えば試着状態の細部の形状及び寸法（形のタイプ、洋服の丈、袖の長さ、襟の形等）、色彩、素材（生地等）等を更に調整するものであってもよい。
【００５８】
これにより、本発明に係る試着シミュレーションシステム１１０は、人若しくは動物又はものの形状に対応して、試着を模擬することができる。また、試着シミュレーションシステム１１０は、人若しくは動物又はものの形状を変更して、試着を模擬することができる。
（２．試着シミュレーションシステムの動作）
【００５９】
図９を用いて、本実施例に係る試着シミュレーションシステム１１０（図７）が試着を模擬する動作（試着シミュレーション方法）を説明する。ここで、図９は、本発明に係る試着シミュレーションシステム１１０の動作の例を説明するフローチャート図である。なお、図９に示す試着シミュレーションシステムの動作は一例であり、本発明は図９に示す試着シミュレーションシステムの動作に限定されるものではない。
【００６０】
図９に示すように、試着シミュレーションシステム１１０は、ステップＳ９０１において、先ず、制御手段１０（図７）を用いて、試着を模擬する動作を開始する。制御手段１０は、例えば試着シミュレーションシステム１１０の外部から入力された情報に応じて、試着を模擬する動作を開始することができる。その後、試着シミュレーションシステム１００は、ステップＳ９０２に進む。
【００６１】
次に、ステップＳ９０２乃至ステップＳ９０５において、試着シミュレーションシステム１１０は、実施形態に係る三次元形状模擬システム（図１）と同様に、モデル画像（例えば図７）を生成する（モデル画像生成ステップ）。ここで、ステップＳ９０３において、試着シミュレーションシステム１１０は、制御手段１０（図７）を用いて、試着する人若しくは動物又はものに関する入力情報を入力される（制御ステップ）。また、制御手段１０は、入力情報として、少なくとも試着する人若しくは動物又はものの形状に関する情報を入力される。更に、制御手段１０は、入力されたアイテムに関する情報（入力情報）に基づいて、ステップＳ９０２で記憶されたアイテム画像を選択する。その後、試着シミュレーションシステム１００は、ステップＳ９０６に進む。
【００６２】
ステップＳ９０６において、試着シミュレーションシステム１１０は、試着画像生成手段１４（図７）を用いて、ステップＳ９０５で生成されたモデル画像に基づいて、試着した状態を模擬した試着画像（例えば図８）を生成する（試着画像生成ステップ）。ここで、試着画像生成手段１４は、ステップＳ９０３で選択されたアイテム画像を、ステップＳ９０５で生成したモデル画像に重畳して、試着画像を生成することができる。その後、試着シミュレーションシステム１１０は、ステップＳ９０７に進む。
【００６３】
ステップＳ９０７において、試着シミュレーションシステム１１０は、制御手段１０を用いて、ステップＳ９０６で生成された試着画像（出力情報）を出力する（制御ステップ）。ここで、試着シミュレーションシステム１１０は、記憶手段１１を用いて、ステップＳ９０４で設定された骨格モデル、ステップＳ９０５で生成されたモデル画像及びステップＳ９０６で生成された試着画像を記憶してもよい。
【００６４】
また、試着シミュレーションシステム１１０は、ステップＳ９０７において、制御手段１０を用いて、試着を模擬する動作を繰り返すか否かを判断する。制御手段１０は、例えば試着シミュレーションシステム１１０の外部から入力された情報に基づいて、試着を模擬する動作を繰り返すか否かを判断することができる。これにより、試着シミュレーションシステム１１０は、所望の間、試着を模擬する動作を繰り返すことができる。その後、試着を模擬する動作を繰り返すと判断した場合には、試着シミュレーションシステム１１０は、ステップＳ９０３に戻る。試着を模擬する動作を終了すると判断した場合には、試着シミュレーションシステム１１０は、図中の「ＥＮＤ」に進み、動作を終了する。
【００６５】
以上のとおり、本発明に係る試着シミュレーションシステム１１０は、試着する人若しくは動物又はものの形状に対応して、試着を模擬することができる。また、試着シミュレーションシステム１１０は、試着させる人若しくは動物又はものの形状を変更して、試着を模擬することができる。
（３．試着シミュレーション方法のプログラム及び記録媒体）
【００６６】
本発明の実施例１に係る試着シミュレーション方法のプログラムＰｒ２は、前述の試着シミュレーションシステム１１０を用いて、前記記憶ステップは、試着するアイテムに関する情報を更に記憶し、前記アイテムに関する情報を用いて、生成された前記モデル画像に基づいて、試着した状態を模擬した試着画像を生成する試着画像生成ステップを更に含み、前記制御ステップは、入力された前記アイテムに関する情報に基づいて、前記記憶ステップが記憶しているアイテム画像を選択し、前記試着画像生成ステップは、前記モデル画像生成ステップで生成した前記モデル画像に、前記制御ステップで選択した前記アイテム画像を重畳して、前記試着画像を生成する、ことを特徴とする試着シミュレーション方法を実行する。
【００６７】
上記のプログラムＰｒ２によれば、本発明に係る試着シミュレーションシステム１１０（前述）と同等の効果が得られる。
【００６８】
また、本発明は、プログラムＰｒ２を記録したコンピュータによって読み取り可能な記録媒体Ｍｄ２としてもよい。記録媒体Ｍｄ２には、フレキシブルディスク、ＣＤ−ＲＯＭ、ＤＶＤ、及び、メモリーカード等、コンピュータ読み取り可能な媒体を利用することができる。更に、本発明は、プログラムＰｒ２をインターネット等のネットワークを介して送信することが可能な伝送可能媒体であってもよい。
（実施例２）
（１．試着シミュレーションシステムの構成）
【００６９】
図１０を用いて、本発明の実施例２に係る試着シミュレーションシステム１２０の構成を説明する。ここで、図１０は、本実施例に係る試着シミュレーションシステム１２０の一例を説明する概略構成図である。
【００７０】
図１０に示すように、本実施例に係る試着シミュレーションシステム１２０は、実施例１に係る試着シミュレーションシステム１１０と、複数のカテゴリーから所望の骨格モデルを選択するカテゴリー選択手段１５とを更に有する。
【００７１】
本実施例に係る試着シミュレーションシステム１２０は、骨格モデルが女性、男性、子供、シニア、犬及び猫又はその他模擬する対象の形状にそれぞれ対応する複数のカテゴリーに分類された複数の骨格モデルを含んでいる場合に、システム利用者が複数のカテゴリーから所望のカテゴリーに対応する所望の骨格モデルを選択することができるものである。
以後の説明では、前述の実施例１に係る試着シミュレーションシステム１１０と異なる部分を主に説明する。
【００７２】
カテゴリー選択手段１５は、複数のカテゴリーから所望の骨格モデルを選択する手段である。カテゴリー選択手段１５は、本実施例では、試着シミュレーションシステム１２０外部から入力された入力情報に基づいて、所望のカテゴリーに対応する所望の骨格モデルを選択する。
【００７３】
サイズ設定手段１２は、カテゴリー選択手段１５が選択した所望の骨格モデルの形状を設定する。モデル画像生成手段１３は、サイズ設定手段１２が設定した所望の骨格モデルに基づいて、所望のモデル画像を生成する。モデル画像生成手段１４は、モデル画像生成手段１３が生成したモデル画像に基づいて、所望の試着画像を生成する。これにより、本実施例に係る試着シミュレーションシステム１２０は、システム利用者（又は試着する者、販売する者、営業する者、購入する者など）の求めに応じて、女性、男性、子供、シニア、犬又は猫又はその他模擬する対象の形状にそれぞれ対応する試着画像（例えば図１１）を生成し、試着を模擬することができる。
（２．試着シミュレーションシステムの動作）
【００７４】
図１２を用いて、実施例２に係る試着シミュレーションシステム１２０（図１０）が試着を模擬する動作を説明する。ここで、図１２は、本発明の実施例２に係る試着シミュレーションシステムの動作（試着シミュレーション方法）の例を説明するフローチャート図である。なお、図１２に示す試着シミュレーションシステムの動作は一例であり、本発明は図１２に示す試着シミュレーションシステムの動作に限定されるものではない。
【００７５】
図１２に示すように、試着シミュレーションシステム１２０は、ステップＳ１２０１において、先ず、制御手段１０（図１０）を用いて、試着を模擬する動作を開始する。なお、制御手段１０が試着を模擬する動作を開始する方法は、実施例１に係る試着シミュレーションシステム１１０の動作（ステップＳ９０１）と同様のため、説明を省略する。その後、試着シミュレーションシステム１２０は、ステップＳ１２０２に進む。
【００７６】
次に、ステップＳ１２０２において、試着シミュレーションシステム１２０は、記憶手段１１（図１０）を用いて、試着に用いるアイテム等を記憶する（記憶ステップ）。なお、記憶手段１１が記憶する動作は、実施例１に係る試着シミュレーションシステム１１０の動作（ステップＳ９０２）と同様のため、説明を省略する。その後、試着シミュレーションシステム１２０は、ステップＳ１２０３に進む。
【００７７】
次いで、ステップＳ１２０３において、試着シミュレーションシステム１２０は、制御手段１０（図１０）を用いて、試着する人若しくは動物又はものに関する入力情報を入力される（制御ステップ）。ここで、制御手段１０は、入力情報として、少なくともカテゴリー情報（女性、男性、子供、シニア、犬又は猫など）を入力される。なお、制御手段１０のその他の動作は、実施例１に係る試着シミュレーションシステム１１０の動作（ステップＳ９０３）と同様のため、説明を省略する。その後、試着シミュレーションシステム１２０は、ステップＳ１２０４に進む。
【００７８】
ステップＳ１２０４において、試着シミュレーションシステム１２０は、カテゴリー選択手段１５（図１０）を用いて、ステップＳ１２０３で入力されたカテゴリー情報（入力情報）に基づいて、骨格モデルのカテゴリーを選択する（カテゴリー選択ステップ）。その後、試着シミュレーションシステム１２０は、ステップＳ１２０５に進む。
【００７９】
ステップＳ１２０５からステップＳ１２０８の動作は、実施例１に係る試着シミュレーションシステム１１０の動作（ステップＳ９０４からステップＳ９０７）と同様のため、説明を省略する。
【００８０】
以上のとおり、本発明の実施例２に係る試着シミュレーションシステム１２０は、実施例１に係る試着シミュレーションシステム１１０と同様の効果を得ることができる。また、本実施例に係る試着シミュレーションシステム１２０は、試着させる人若しくは動物又はものの形状（カテゴリー）に対応した骨格モデルを用いて、試着を模擬することができる。
（３．試着シミュレーション方法のプログラム及び記録媒体）
【００８１】
本発明に係る試着シミュレーション方法のプログラムＰｒ３は、前述の実施例１に係る試着シミュレーション方法の動作と、女性、男性、子供、シニア、犬及び猫にそれぞれ対応する複数のカテゴリーに分類された複数の骨格モデルを含む場合に、前記入力情報に基づいて、前記複数のカテゴリーから所望のカテゴリーに対応する所望の骨格モデルを選択するカテゴリー選択ステップを更に含み、前記サイズ設定ステップは、前記カテゴリー選択ステップで選択した前記所望の骨格モデルの形状を設定し、前記モデル画像生成ステップは、前記サイズ設定ステップで設定された前記所望の骨格モデルに基づいて、所望の前記モデル画像を生成し、前記モデル画像生成ステップは、前記モデル画像生成ステップで生成された前記モデル画像に基づいて、所望の前記試着画像を生成する、ことを特徴とする試着シミュレーション方法を実行する。
【００８２】
上記のプログラムＰｒ３によれば、実施例１に係る試着シミュレーションシステム１１０（前述）と同等の効果が得られる。また、上記のプログラムＰｒ３によれば、複数のカテゴリーから所望のカテゴリーに対応する所望の骨格モデルを選択し、所望の骨格モデルに基づいて所望のモデル画像を生成し、生成されたモデル画像に基づいて所望の試着画像を生成することができる。
【００８３】
また、本発明は、プログラムＰｒ３を記録したコンピュータによって読み取り可能な記録媒体Ｍｄ３としてもよい。記録媒体Ｍｄ３には、フレキシブルディスク、ＣＤ−ＲＯＭ、ＤＶＤ、及び、メモリーカード等、コンピュータ読み取り可能な媒体を利用することができる。更に、本発明は、プログラムＰｒ３をインターネット等のネットワークを介して送信することが可能な伝送可能媒体であってもよい。
（実施例３）
（１．販売支援システムの構成）
【００８４】
図１３を用いて、本発明の実施例３に係る販売支援システム２００の構成を説明する。ここで、図１３は、本実施例に係る販売支援システム２００の一例を説明する概略構成図である。
【００８５】
図１３に示すように、本実施例に係る販売支援システム２００は、実施例１に係る試着シミュレーションシステム１１０又は実施例２に係る試着シミュレーションシステム１２０と、試着シミュレーションシステム（１１０、１２０）と有線及び／又は無線で接続された情報端末２０とを含む。試着シミュレーションシステム（１１０、１２０）と情報端末２０とは、例えばインターネットを介して接続されるものであってもよい。
【００８６】
情報端末２０は、システム利用者（販売者、購入者など）が情報を入力する入力手段２１と、システム利用者に情報を表示する表示手段２２とを備える。なお、情報端末２０は、通信装置（ＬＡＮ、無線ＬＡＮ、インターネットなど）を介して、試着シミュレーションシステムと情報の入出力を行うものであってもよい。また、情報端末２０は、例えばタブレット、スマートフォン、携帯端末、ノートＰＣ、メガネ型端末（例えば図１７（ａ））、腕時計型端末（例えば図１７（ｂ））、コンタクトレンズ型端末、投影型端末などであってもよい。入力手段２１は、情報端末（タブレットなど）に予め搭載されている機能（キーボード、タッチパネルなど）を利用する構成であってもよい。表示手段３２は、情報端末（タブレットなど）に予め搭載されている機能（液晶、有機ＥＬ、タッチパネルなど）を利用する構成であってもよい。
【００８７】
本実施例に係る販売支援システム２００は、試着を模擬することによって、販売を支援するシステムである。販売支援システム２００は、入力手段２１（情報端末２０）を用いて、入力情報を入力される。また、販売支援システム２００は、表示手段２２（情報端末２０）を用いて、試着シミュレーションシステムからの出力情報（試着画像など）を表示する。
（２．販売支援システムの動作）
【００８８】
図１４乃至図１６を用いて、販売支援システム２００（図１３）が販売を支援する動作を説明する。ここで、図１４は、本発明の実施例３に係る販売支援システム２００の動作（販売支援方法）の例を説明するフローチャート図である。なお、図１４に示す販売支援システムの動作は一例であり、本発明は図１４等に示すものに限定されるものではない。
【００８９】
図１４に示すように、販売支援システム２００は、ステップＳ１４０１において、先ず、制手段１０（図１３）を用いて、販売を支援する動作を開始する。なお、制御手段１０が販売を支援する動作を開始する方法は、前述の試着シミュレーションシステム（１１０、１２０）の動作と同様のため、説明を省略する。その後、販売支援システム２００は、ステップＳ１４０２に進む。
【００９０】
次に、ステップＳ１４０２からステップＳ１４０７において、販売支援システム２００は、実施例２に係る試着シミュレーションシステム１２０の動作（ステップＳ１２０２からステップＳ１２０７）と同様に、試着を模擬する動作を実施する。なお、販売支援システム２００が試着を模擬する動作は、実施例２に係る試着シミュレーションシステム１２０の動作と同様のため、説明を省略する。その後、販売支援システム２００は、ステップＳ１４０８に進む。
【００９１】
次いで、ステップＳ１４０８において、販売支援システム２００は、情報端末２０（図９）を用いて、試着シミュレーションシステムからの出力情報（試着画像など）を表示し、販売を支援する（販売支援ステップ）。ここで、表示手段２２（情報端末２０）は、例えば図１５に示すように、情報端末上に試着画像を表示する。なお、図１５に示す表示結果は一例であり、本発明に用いることができる表示手段の表示方法は図１５に示すものに限定されるものではない。その後、販売支援システム２００は、ステップＳ１４０９に進む。
【００９２】
ステップＳ１４０９において、販売支援システム２００は、情報端末２０を用いて、アイテムの選択又はサイズの再設定をしてもよい。販売支援システム２００は、例えば図１５（ａ）に示すように、ブランドＡ、ブランドＢ又はブランドＣを選択して、試着するアイテム（画像）を変更してもよい。また、販売支援システム２００は、例えば図１５（ｂ）に示すように、入力情報に基づいてオススメサイズを表示するものであってもよい。更に、販売支援システム２００は、例えば図１６（ａ）に示すように、靴（ヒールなど）を試着した試着画像を表示してもよい。また、販売支援システム２００は、例えば図１６（ｂ）に示すように、モデル画像の髪、目、眉毛、まつげ、爪若しくは肌の色又は髪、目、眉毛、まつげ若しくは爪の形状を再調整するものであってもよい。その後、販売支援システム２００は、ステップＳ１４１０に進む。なお、図１５及び図１６に示す表示結果は一例であり、本発明に用いることができるアイテムの選択又はサイズ等の再設定は図１５又は図１６に示すものに限定されるものではない。
【００９３】
ステップＳ１４１０において、販売支援システム２００は、制御手段１０を用いて、販売を支援する動作を繰り返すか否かを判断する。制御手段１０は、例えばシステム利用者から入力された情報に基づいて、販売を支援する動作を繰り返すか否かを判断することができる。これにより、販売支援システム２００は、所望の間、販売を支援する動作を繰り返すことができる。その後、販売を支援する動作を繰り返すと判断した場合には、販売支援システム２００は、ステップＳ１４０３に戻る。販売を支援する動作を終了すると判断した場合には、販売支援システム２００は、図中の「ＥＮＤ」に進み、動作を終了する。
【００９４】
以上のとおり、本発明の実施例３に係る販売支援システム２００は、実施形態に係る三次元模擬システム１００及び実施例１、実施例２に係る試着シミュレーションシステム１１０、１２０と同様の効果を得ることができる。
（３．販売支援方法のプログラム及び記録媒体）
【００９５】
本発明に係る販売支援方法のプログラムＰｒ４は、前述の試着シミュレーション方法を用いて試着模擬を実施するステップと、前記制御手段と有線及び／又は無線で接続された情報端末を用いて情報の入出力を実施する販売支援ステップとを含む販売を支援する販売支援方法であって、前記情報端末は、情報を入力する入力手段と情報を表示する表示手段とを備え、前記販売支援ステップは、前記情報端末の前記入力手段を用いて入力された前記入力情報を前記制御手段に出力し、前記制御手段から前記出力情報を前記情報端末に入力されたときに前記表示手段で試着した状態を模擬した前記試着画像を表示する、ことを特徴とする販売支援方法を実行する。
【００９６】
上記のプログラムＰｒ４によれば、本発明に係る販売支援システム２００（前述）と同等の効果が得られる。
【００９７】
また、本発明は、プログラムＰｒ４を記録したコンピュータによって読み取り可能な記録媒体Ｍｄ４としてもよい。記録媒体Ｍｄ４には、フレキシブルディスク、ＣＤ−ＲＯＭ、ＤＶＤ、及び、メモリーカード等、コンピュータ読み取り可能な媒体を利用することができる。更に、本発明は、プログラムＰｒ４をインターネット等のネットワークを介して送信することが可能な伝送可能媒体であってもよい。
【００９８】
以上のとおり、本発明に係る実施形態及び実施例について説明したが、本発明は上記の実施形態及び実施例に限定されるものではない。すなわち、本発明は、特許請求の範囲に記載の内容に基づいて、様々に変形、変更又はその他任意に改変され得る。
【符号の説明】
【００９９】
１００  ：  三次元形状模擬システム
１１０，１２０  ：  試着シミュレーションシステム
２００  ：  販売支援システム
１０  ：  制御手段
１１  ：  記憶手段
１２  ：  サイズ設定手段
１２ａ：  骨格モデル（連結モデル）
１２ｂ：  支持片
１２ｃ：  支点
１２ｄ：  部位モデル
１３  ：  モデル画像生成手段
１４  ：  試着画像生成手段
１５  ：  カテゴリー選択手段
２０  ：  情報端末
２１  ：  入力手段
２２  ：  表示手段
Ｐｒ１，Ｐｒ２，Ｐｒ３，Ｐｒ４  ：  プログラム
Ｍｄ１，Ｍｄ２，Ｍｄ３，Ｍｄ４  ：  記録媒体
【図１】
2016024742.tif 000003
【図２】
2016024742.tif 000004
【図３】
2016024742.tif 000005
【図４】
2016024742.tif 000006
【図５】
2016024742.tif 000007
【図６】
2016024742.tif 000008
【図７】
2016024742.tif 000009
【図８】
2016024742.tif 000010
【図９】
2016024742.tif 000011
【図１０】
2016024742.tif 000012
【図１１】
2016024742.tif 000013
【図１２】
2016024742.tif 000014
【図１３】
2016024742.tif 000015
【図１４】
2016024742.tif 000016
【図１５】
2016024742.tif 000017
【図１６】
2016024742.tif 000018
【図１７】
2016024742.tif 000019